(57)【要約】      （修正有）【課題】集魚効果を向上させると共に、潮流の急な変化があっても道糸と仕掛けの絡まりを抑制することができる釣用鐘を提供する。【解決手段】釣用錘は、長手方向に延在し一端側に重心を有する本体部２と、本体部の他端側に形成された板状部材３とを有することを特徴とする。本体部は底部６が湾曲面形状に形成された勾玉形状であり、板状部材３は海底の泥砂を掘削して掻き上げる機能を有することが好ましい。【選択図】図１
0003204715.tif 000002
【実用新案登録請求の範囲】
【請求項１】
長手方向に延在し一端側に重心を有する本体部と、
前記本体部の他端側に形成された板状部材とを有する、
ことを特徴とする釣用錘。
【請求項２】
前記本体部は底部が湾曲面形状に形成された勾玉形状であり、前記板状部材は海底の泥砂を掘削して掻き上げる機能を有する、
ことを特徴とする請求項１に記載の釣用錘。
【請求項３】
長手方向に延在し一端側に重心を有する本体部と、前記本体部の他端側に形成された板状部材とを有する釣用錘を含む錘付釣用天秤であって、
前記本体部は底部が湾曲面形状に形成された勾玉形状であり、前記板状部材は海底の泥砂を掘削して掻き上げる機能を有し、
前記本体部の頭部には、道糸と仕掛け部に介在するワイヤの一端を挿通させる第１のリング部が先端に形成された金属製の第１の棒状部材が前記本体部と一体に接合されており、前記本体部の尾部には、前記ワイヤの他端を挿通させる第２のリング部が先端に形成された金属製の第２の棒状部材が前記本体部と一体に接合されている、
ことを特徴とする釣用錘付天秤。
【請求項４】
本体部の中心より道糸側に重心を片寄らせることによって前記道糸の上下動に応じて尾部側に形成された前記板状部材を跳ね上げ下げさせる機能を有する、
ことを特徴とする請求項３に記載の釣用錘付天秤。
【考案の詳細な説明】
【技術分野】
【０００１】
本考案は、釣用錘及び釣用錘付天秤に関する。
【背景技術】
【０００２】
船釣りを始め磯釣りや渓流釣り等、釣り人口は年々増加しており、それぞれの釣りの特徴に応じた各種の釣り用具が提供されている。例えば、主に海底に生息するアイナメ、ソイ、コチ、ハゼ、カレイといった根魚を対象とした釣りや投げ釣りの場合には、糸が絡むのを防止するために天秤が使用されている。船釣り等で広く使用されている従来の天秤には、片天秤、両天秤、トンボ天秤等があり、それらの天秤を用いて仕掛けが構成されている。そして、それらは釣るべき対象となる魚の種類よって適宜選択されて使用されていた。
【０００３】
天秤を初めとする種々の釣り用の仕掛けは、釣果を向上させるために様々な工夫がなされている。例えば、以下の特許文献１には、パイプ状をした天秤本体内に道糸を挿通し、天秤本体に錘を取り付けた従来の釣り用天秤が開示されている。魚が針にかかった際の当たりを増幅して伝播させ、それによって魚を確実に捕らえて釣果の向上に寄与させるという工夫が施されている。
【０００４】
また、以下の特許文献２には中通し天秤と片天秤が開示されている。中通し天秤は錘がパイプ状の天秤に取付けられたサルカンに装着される。パイプ状天秤にはストッパーまで内部を自由に摺動する仕掛が通っている。パイプ状天秤を貫通する仕掛は一方の先端が道糸にサルカンで接続され、他方の先端にはテグスが接続されている。また、仕掛とテグスには釣針が取付けられている。片天秤においては、天秤の一端には道糸と錘が接続され、錘は錘止着部で直接接続されている。天秤の他端には釣針が取付けられた仕掛けが接続されている。
【先行技術文献】
【特許文献】
【０００５】
【特許文献１】特開２００２−１７２２７号公報
【特許文献２】特開２００７−２４４３７０号公報
【考案の概要】
【考案が解決しようとする課題】
【０００６】
上記した特許文献１及び特許文献２に開示された天秤においては、集魚効果を高めるために弾性部材の伸び縮みを利用し、仕掛の動きを増幅させるといった構造となっている。しかし、天秤の動きとしては単純であり十分な集魚効果が期待できないと考えられる。
【０００７】
そこで、本考案は、このような課題を解決するためのものであり、集魚効果を向上させることができる釣用錘及び釣用錘付天秤を提供することを目的とする。
【課題を解決するための手段】
【０００８】
上記課題を解決するために、本考案の第１の観点によれば、長手方向に延在し一端側に重心を有する本体部と、本体部の他端側に形成された板状部材とを有することを特徴とする釣用錘が得られる。
【０００９】
さらに、上述の釣用錘において、本体部は底部が湾曲面形状に形成された勾玉形状であり、板状部材は海底の泥砂を掘削して掻き上げる機能を有することが望ましい。
【００１０】
また、本考案の第２の観点によれば、長手方向に延在し一端側に重心を有する本体部と、本体部の他端側に形成された板状部材とを有する釣用錘を含む錘付釣用天秤であって、本体部は底部が湾曲面形状に形成された勾玉形状であり、板状部材は海底の泥砂を掘削して掻き上げる機能を有し、本体部の頭部には、道糸と仕掛け部に介在するワイヤの一端を挿通させる第１のリング部が先端に形成された金属製の第１の棒状部材が本体部と一体に接合されており、本体部の尾部には、ワイヤの他端を挿通させる第２のリング部が先端に形成された金属製の第２の棒状部材が本体部と一体に接合されていることを特徴とする釣用錘付天秤が得られる。
【００１１】
さらに、上述の釣用錘付天秤において、本体部の中心より道糸側に重心を片寄らせることによって道糸の上下動に応じて尾部側に形成された前記板状部材を跳ね上げ下げさせる機能を有することが望ましい。
【考案の効果】
【００１２】
本考案によれば、釣用錘のヘッド部が、天秤の動きにより海底の砂や泥を掻き揚げる為、餌・ワームへの食い付き（集魚効果）を向上させることができる。
【図面の簡単な説明】
【００１３】
【図１】本考案の釣用錘の全体構成図である。
【図２】本考案の釣用錘付天秤の全体構成図である。
【図３】本考案の釣用錘付天秤にワイヤを取り付けた状態を示す図である。
【図４】(ａ)は釣用錘の頭部が海底を離れた状態を示す図であり、(ｂ)は釣用錘の頭部が海底に接地した状態を示す図である。
【図５】本考案の釣用錘の他の形態の例を示す図である。
【図６】釣用錘の他の形状を示す図である。
【考案を実施するための形態】
【００１４】
本考案の実施の形態に係る釣用錘１について図１を参照しながら説明する。
【００１５】
（釣用錘の構成）
本考案に係る釣用錘１は、図１に示すように長手方向に延在する本体部２と本体部２の他端側に形成されたヘッド部（板状部材）３とを有して構成されている。本体部２はいわゆる勾玉形状であり底部６が湾曲面形状に形成され、このような形状にすれば釣用錘１の重心が頭部４側になる。これは、後述するように本線を上下動させることによって釣用錘１が重心を支点とし釣用錘１の前後（頭部４とヘッド部３（尾部））がシーソーのような動きをさせるためである。そしてヘッド部３は、海底で上下動させることにより海底の泥砂を掘削して掻き上げる砂掻き揚げ部としての機能を有している。
【００１６】
釣用錘１は、鉛又は鉄等の金属を粘度の低い液状にして低圧で金型に流し込む方法（いわゆる鋳造）で成型される。そして釣用錘１の表面の内ヘッド部３を除いた領域に樹脂材料等で覆う処理を施している。ヘッド部３は板状（ヘラ状）であり本体部２と一体成型されている。ヘッド部３の形状は上方から見ると略台形状であり、幅方向（錘の長手方向に垂直な方向）の断面形状が湾曲形状である。このような湾曲形状にしている理由は掘削して掻き上げられる海底の泥砂の量を一定量以上確保したいからである。単純な板状であれば掻き上げたときにこぼれてしまう虞があるからである。なお、図示されたヘッド部３の形状以外の形状については後述する。
【００１７】
以下、本考案の実施の形態に係る釣用錘付天秤８について図２〜図４を参照しながら説明する。
【００１８】
（釣用錘付天秤の構成）
釣用錘付天秤８は、図１の釣用錘１の長手方向両端部にそれぞれ金属製の棒状部材１２、１４が本体部２に接合されて構成されている。棒状部材（第１の棒状部材）１２は本体部２の頭部側に接合され、棒状部材（第２の棒状部材）１４は本体部２の尾側に接合されている。棒状部材１２は、細長形状の金属線５とリング部（第１のリング部）７を有して構成され、金属線５の本体側部分は樹脂材料９で被膜されている。棒状部材１４は、細長形状の金属線１６とリング部（第２のリング部）１３を有して構成され、金属線１６の本体側部分は樹脂材料１１で被膜されている。
【００１９】
リング部７は、金属線５の先端に形成され道糸（本線）３３（図３参照）と仕掛け部３５に介在されるワイヤ１７の道糸側端部を挿通させるためのものである。リング部１３は、金属線１６の先端に形成されワイヤ１７の仕掛け部側端部を挿通させるためのものである。
【００２０】
図３に示すようにワイヤ１７の道糸側端部にはストッパーとして機能するプラスチック玉２１が設けられ、プラスチック玉２１には太糸１８が接続されている。太糸１８の道糸側端部にはリング部１５が設けられ、このリング部１５には道糸３３が結ばれている。ワイヤ１７の仕掛け部側端部にはリング部２３が設けられ、このリング部２３には仕掛け部３５が結ばれている。
【００２１】
このような機構により長さＬだけワイヤ１７が軸方向に移動することができる。このような機構にしたのは、釣用錘付天秤８を介して道糸３３に伝わるアタリを感じる度合い（感度）を向上させるためである。なお、ワイヤ１７の材質は撓ませてもすぐに元の形状に戻る性質を有するいわゆる形状記憶合金であり、道糸と仕掛けの接触を抑制させるに十分な硬さと弾力を備えている。
【００２２】
（錘付天秤の使用例）
以下に本考案に係る錘付天秤の使用例について図４を参照して詳細に説明する。
竿を常に上下させ、こずき運動を与えることにより図４(ａ)と図４(ｂ)の動きが連続して発生する。図４(ａ)は釣用錘１の頭部が海底を離れた状態、図４(ｂ)は釣用錘１の頭部が海底に接地した状態を示す。その際、釣針３８の動きは、図４(ａ)では海底に接地しており、図４(ｂ)では上方向に跳ね上がる状態となる。このような連続した動きにより縦と横の扇形状に釣針３８が動きまわることとなる。
【００２３】
道糸３３のテンションがなくなるまで下げると、図４(ａ)に示すように釣用錘１の両サイドのどちらかに傾き釣用錘付天秤８に横方向の動きも与えることが出来る。竿を常に上下させ、こずき運動を与えることにより図４(ａ)、図４(ｂ)の動きが連続して発生する。このときヘッド部３は上下方向に動くので海底の泥や砂（泥砂）が掻き揚げられる。
【００２４】
以上のように、こずき運動を与えることにより釣用錘１の重心を支点として釣用錘付天秤８が上下左右に動き、ヘッド部３が海底の泥砂や付着物を巻き上げてくれるので集魚効果を向上させることができる。
【００２５】
ところで、海底に生息する根魚のアイナメ、ソイ、コチ、ハゼ、カレイ類等の釣りの場合には、生餌としてエラコ、アオイソメ、ゴカイ等がよく使われるが、それらの生餌を釣針に刺し付けるとすぐに弱ってしまい動きが悪くなる。そのため当然集魚効果も悪くなり釣果に影響を与える。魚は常に動きのある餌を捕食する習性があるので竿をあおり、それによって餌の動きを活発に見せるいわゆるコズキ釣法等がある。しかし、潮流や海底の状況によってはコズキやシャクリによって道糸と仕掛け（テグス）が絡まってしまうといった問題がある。
【００２６】
ここで、本実施の形態に係る釣用錘付天秤８はワイヤ１７を挿通させるためのリング部７，１３を備えており、このワイヤ１７を道糸（テグス）３３と仕掛け部３５に介在させることによって、道糸３３と仕掛け部３５の接触を抑制することができる。したがって、例えば潮流の急な変化があるような状況においても道糸３３と仕掛け部３５の絡まりを抑制することができる。
【００２７】
なお、本実施の形態では、ヘッド部３の形状がヘラ状のものを例にとって説明したが、これ以外にも例えば、ヘッド部の先端形状がのこぎり刃状のもの（図５（ａ）のヘッド部４５参照）や、ヘッド部の形状がいわゆるパテへらの先端形状のようになっているもの（図５（ｂ）のヘッド部５５参照）や、ヘッド部の先端形状がフォークの先端形状のようになっているもの（図５（ｃ）のヘッド部６５参照）や、ヘッド部の先端が掘削機のドリル形状のようになっているもの（図５（ｄ）のヘッド部７５参照）が挙げられる。
【００２８】
また、本実施の形態では、釣用錘がヘラ状のヘッド部３が勾玉形状の本体部２に一体形成されている例を示したが、図６（ａ）に示すように円錐形状の錘８０にヘラ状のヘッド部８５を形成したり、雫（しずく）状の錘９０にヘラ状のヘッド部９５を形成するようにしてもよい。上記各例による錘を使用する場合錘にリング部（図示せず）が形成されそのリング部に上記したようなワイヤ（図示せず）を通すことで上記同様の効果が得られる。
【００２９】
以上、本考案の一実施の形態について説明したが、本考案は上記した実施の形態に限定されることはなく、これ以外にも種々変形可能である。
【符号の説明】
【００３０】
１…釣用錘、２…本体部、３…ヘッド部（板状部材）、７…リング部（第１のリング部）、１２…棒状部材（第１の棒状部材）、１３…リング部（第２のリング部）、１４…棒状部材（第２の棒状部材）、１７…ワイヤ、３３…道糸（本線）、３５…仕掛け部
【図１】
0003204715.tif 000003
【図２】
0003204715.tif 000004
【図３】
0003204715.tif 000005
【図４】
0003204715.tif 000006
【図５】
0003204715.tif 000007
【図６】
0003204715.tif 000008